(57)【要約】【課題】給紙カセットを装着部から引き出したとき給紙カセットの前端が下方に傾くことを防止する給紙カセットの傾き防止機構を提供する。【解決手段】給紙カセット３１の両側面には前端から後端に亘って水平方向に装着係合部４９が形成され、装着係合部４９は下面に配置された第１のコロ５９と後端部上面に配置された第２のコロ６３を備える。装着部５３の、下ガイドレール５５は給紙カセットの装着係合部の下面に沿って延在し、後端部の上面で第１のコロを介して給紙カセットの後方を支持し、本体側コロ５８は下ガイドレールの前部に配置され、給紙カセットの装着係合部の下面を介して給紙カセットの前方を支持し、上ガイドレール５４は下ガイドレールに対向する位置に配置され、給紙カセットの装着係合部の上面との間に前下がりに狭まり且つ装着部の装着口まで連続する最も狭い間隙において下面を第２のコロに接触させて給紙カセットの後端部の上方への移動を禁止する。【選択図】図３
2014144821.tif 000002
【特許請求の範囲】
【請求項１】
装置本体の装着部に着脱自在な給紙カセットを備える給紙装置であって、
前記給紙カセットは、
用紙収納部と、
該用紙収納部から後方に連設された延長部と、
前記給紙カセットの両側面において前記用紙収納部の前端から前記延長部に亘って水平方向に形成された装着係合部と、
前記延長部の前後の中間の位置で前記装着係合部の下面に配置された第１のコロと、
前記第１のコロの前記延長部の後端との中間の位置で前記装着係合部の上面に配置された第２のコロと、
を備え、
前記装着部は、
前記装置本体のフレームに固設され、前記装着部に装着される前記給紙カセットの前記装着係合部の下面に沿って延在する位置に配置され、前記第１のコロを介して前記給紙カセットを支持する下ガイドレールと、
該下ガイドレールの前部に配置され、前記装着部に装着される前記給紙カセットの前記装着係合部の下面を介して前記給紙カセットを支持する本体側コロと、
前記下ガイドレールに対向する位置に配置され、前記装着部に装着される前記給紙カセットの前記装着係合部の上面との間に前下がりに狭まり且つ前記装着部の装着口まで連続する最も狭い間隙において下面を前記装着係合部の前記第２のコロに接触させて前記給紙カセットの後端部の上方への移動を禁止する上ガイドレールと、
を備える、
ことを特徴とする給紙装置。
【請求項２】
前記給紙カセットと前記装着部は、前記給紙カセットを前記装着部から引き出したとき前記給紙カセットの前端が下方に傾くことを防止すべく構成されている
ことを特徴とする請求項１記載の給紙装置。
【発明の詳細な説明】
【技術分野】
【０００１】
本発明は、給紙カセットを装着部から引き出したとき給紙カセットの前端が下方に傾くことを防止する給紙カセットの傾き防止機構を備えた給紙装置に関する。
【背景技術】
【０００２】
従来、パーソナルコンピュータが普及するのに伴って、その周辺機器のひとつとして、電子写真方式、熱転写方式、インクジェット方式等の各種のプリンタが普及している。これらのプリンタは、用途としては個人用や事務用、形状としては大型の床設置型や小型の卓上型など、種々のものが実用化されている。
【０００３】
いずれの場合も、使用する用紙としてＡ判、Ｂ判等の枚葉紙を使用するものは多枚数の用紙を収容した給紙カセットを備えているのが一般的である。また、給紙カセットは用紙補給のためにプリンタ本体に着脱可能に構成されているのが一般的である。
【０００４】
そして、例えば、記録紙（用紙）をセットする際にカセット（給紙カセット）が安易に移動しないようにするとともに、スムーズなカセットの引き出し，装着を可能とする給紙カセット着脱装置および給紙カセットが提案されている。（例えば、特許文献１参照。）
【０００５】
この特許文献１の技術は、給紙カセットの装着部への差込み開始端部の上下にコロを設け、下側コロから中心部寄りに凸状段部を設け、装着部には下側ガイドの入り口から奥側へ、コロ、凸状段部、凹部を順に設け、上側ガイドの入り口近傍に凹状ストッパを設けている（図１、図２参照）。
【０００６】
これにより、給紙カセットを装着の際は、２つのコロを上側ガイドに当てながら押し込むことでカセット側の段部が装着部側の段部を越えて、３つのコロが全て回転して給紙カセットが円滑に画像形成装置の装置部に装着される。
【０００７】
用紙の補給等で給紙カセットを引き出すときは、上方のコロがストッパ部に係合すると同時にカセット側段部が装着部側の段部に係合して給紙カセットの引き出し方向の移動が規制される、というものである。
【先行技術文献】
【特許文献】
【０００８】
【特許文献１】特開平１１−０２０９６１号公報
【発明の概要】
【発明が解決しようとする課題】
【０００９】
ところで、給紙カセットのコロが設けられていない前端方向の部分は、装着部との着脱の際、装着部のガイドと摺接する。この摺接により着脱の操作性が低下しないように、給紙カセットの横縁上部面と装着部のガイドとの間には遊びの間隙が設けられている。
【００１０】
ところが、この遊びがあるために、給紙カセットを引き出した際、給紙カセットの前端が下方に傾く。ここで、画像形成装置が床設置型の大型機ならば、底部四隅のキャスターの分だけ底部と床面が離れているので給紙カセットの前端が下方に傾斜しても問題ない。
【００１１】
しかし、画像形成装置が卓上型の小型機、特に事務机の上面の１／２ほどの設置面を必要とする事務用の画像形成装置であると、大型機と同様に最大Ａ３判の用紙を収容可能な大型の給紙カセットが用いられる。また、卓上型はキャスター無しの直置き型が一般的である。
【００１２】
そこで、用紙の補給等のために給紙カセットを引き出したとき、大型で重い給紙カセットの下に傾いた先端が机や床の面に擦れて、机や床の面とか給紙カセットなどに傷がついたり、場合によりユーザの指を挟んで指を傷つける等の不具合が発生する。しかし、特許文献１には、そのような不具合には何ら考慮が払われていない。
【００１３】
本発明は、上記従来の課題を解決するものであって、給紙カセットを装着部から引き出したとき給紙カセットの前端が下方に傾くことを防止する給紙カセットの傾き防止機構を備えた給紙装置を提供することを目的とする。
【課題を解決するための手段】
【００１４】
上記課題を解決するために、本発明の給紙装置は、装置本体の装着部に着脱自在な給紙カセットを備え、上記給紙カセットは、用紙収納部と、該用紙収納部から後方に連設された延長部と、上記給紙カセットの両側面において上記用紙収納部の前端から上記延長部に亘って水平方向に形成された装着係合部と、上記延長部の前後の中間の位置で上記装着係合部の下面に配置された第１のコロと、上記第１のコロと上記延長部の後端との中間の位置で上記装着係合部の上面に配置された第２のコロと、を備え、上記装着部は、上記装置本体のフレームに固設され、上記装着部に装着される上記給紙カセットの上記装着係合部の下面に沿って延在する位置に配置され、上記第１のコロを介して上記給紙カセットを支持する下ガイドレールと、該下ガイドレールの前部に配置され、上記装着部に装着される上記給紙カセットの上記装着係合部の下面を介して上記給紙カセットを支持する本体側コロと、上記下ガイドレールに対向する位置に配置され、上記装着部に装着される上記給紙カセットの上記装着係合部の上面との間に前下がりに狭まり且つ上記装着部の装着口まで連続する最も狭い間隙において下面を上記装着係合部の上記第２のコロに接触させて上記給紙カセットの後端部の上方への移動を禁止する上ガイドレールと、を備える、ように構成される。
【発明の効果】
【００１５】
本発明は、給紙カセットを装着部から引き出したとき給紙カセットの前端が下方に傾くことを防止する給紙カセットの傾き防止機構を提供することができる。
【図面の簡単な説明】
【００１６】
【図１】本発明の実施例１に係る給紙カセットの傾き防止機構を備えたフルカラーの画像形成装置（プリンタ）の内部構成を説明する断面図である。
【図２】実施例１に係る給紙カセットの傾き防止機構を備えたプリンタの外観斜視図である。
【図３】給紙カセットがプリンタの装着部に装着された状態を装着部の案内レールの断面図と共に示す側面図である。
【図４】給紙カセットがプリンタの装着部から途中まで引き出されたときの状態を示す外観斜視図である。
【図５】(a)は給紙カセットがプリンタの装着部から途中まで引き出されたときの状態をプリンタの装着部の案内レールの断面図と共に示す側面図、(b)はその後方部分の拡大図である。
【図６】(a)は給紙カセットの用紙収納部が装着部の外部に完全に引き出された状態を装着部の案内レールの断面図と共に示す図、(b)はその装着部の装着口近傍の拡大図である。
【発明を実施するための形態】
【００１７】
以下、本発明の実施の形態について、図面を参照しながら詳細に説明する。
【実施例１】
【００１８】
図１は、本発明の実施例１に係る給紙カセットの傾き防止機構を備えたフルカラーの画像形成装置（以下、単にプリンタという）の内部構成を説明する断面図である。
【００１９】
図１に示すプリンタ１は、電子写真式で二次転写方式のタンデム型のカラー画像形成装置であり、画像形成部２、転写ベルトユニット３、トナー供給部４、給紙部５、ベルト式定着ユニット６、及び両面印刷用搬送ユニット７で構成されている。
【００２０】
上記画像形成部２は、転写ベルトユニット３の転写ベルト８の下部走行面８ａに接して同図の右から左へ４個の現像装置９（９ｋ、９ｃ、９ｍ、９ｙ）を多段式に並設して構成される。この画像形成部２は、図１に示す印刷実行時位置から、それより下方の保守位置に、昇降可能にプリンタ１本体のフレームに保持されている。
【００２１】
上記４個の現像装置９のうち上流側（図の左側）の３個の現像装置９ｃ、９ｍ及び９ｙは、それぞれ減法混色の三原色であるシアン（Ｃ）、マゼンタ（Ｍ）、イエロー（Ｙ）の色トナーによるモノカラー画像を形成し、現像装置９ｋは、主として文字や画像の暗黒部分等に用いられるブラック（Ｋ）トナーによるモノクロ画像を形成する。
【００２２】
上記の各現像装置９は、画像を現像するトナーの色を除き全て同じ構成である。したがって、以下イエロー（Ｙ）のトナー用の現像装置９ｙを例にしてその構成を説明する。
【００２３】
現像装置９は、最上部に感光体ドラム１０を備えている。この感光体ドラム１０は、その周面が例えば有機光導電性材料で構成されている。この感光体ドラム１０の周面に接して又は近傍を取り巻いて、クリーナ１１、帯電ローラ１２、光書込ヘッド１３、及び現像器１４の現像ローラ１５が配置されている。
【００２４】
現像器１４は、外部を覆う筐体１６、内部に設けられた隔壁１７、現像ローラ１５、第１の攪拌搬送スクリュー１８、及び第２の攪拌搬送スクリュー１９を備えている。第１及び第２の攪拌搬送スクリュー１８及び１９は、特には図示しないが、スクリュー軸と、このスクリュー軸と一体に構成されて回転するフィンから成る。
【００２５】
この現像器１４には、転写ベルトユニット３の上方に配置されているトナー供給部４のトナーカートリッジ２１から、同図にＫ、Ｃ、Ｍ、Ｙで示すブラック（Ｋ）、シアン（Ｃ）、マゼンタ（Ｍ）、イエロー（Ｙ）のいずれかのトナーが供給される。
【００２６】
転写ベルトユニット３は、本体装置のほぼ中央で図の左右方向に扁平なループ状になって延在する無端状の上述した転写ベルト８と、この転写ベルト８を掛け渡されて転写ベルト８を図の矢印ａで示す反時計回り方向に循環移動させる駆動ローラ２２と従動ローラ２３を備えている。
【００２７】
駆動ローラ２２には、転写ベルト８を介して二次転写ローラ２４が圧接し、ここに搬送されて来る転写媒体である用紙に対し、転写ベルト８上の一次転写トナー像を二次転写する二次転写部を形成している。
【００２８】
上記の転写ベルト８には、一次転写ローラ２５がユニットと一体に組み込まれている。一次転写ローラ２５は感光体ドラム１０に対し、転写ベルト８を挟むように配置されている。
【００２９】
一次転写ローラ２５は、下方を循環移動する転写ベルト８の下部走行面８ａにトナー像を直接転写（一次転写）する。転写ベルト８は、そのトナー像を更に用紙に転写（二次転写）すべく、上記の二次転写部まで搬送する。
【００３０】
また、転写ベルト８には、従動ローラ２３に掛け渡されている表面に当接してベルトクリーナ２６が配置されている。ベルトクリーナ２６の下方にはベルトクリーナ２６が転写ベルト８から除去した廃トナーを収容する廃トナー回収容器２７が着脱自在に配置されている。
【００３１】
トナー供給部４は、転写ベルト８の上部走行面の上方に配置されている前述した４個のトナーカートリッジ２１で構成されている。このトナー供給部４は、特には図示しないが、図１に示す印刷実行時位置から、それより上方の保守位置に、昇降可能にプリンタ１本体のフレームに保持されている。
【００３２】
トナー供給部４の４個のトナーカートリッジ２１は、それぞれブラック（Ｋ）、シアン（Ｃ）、マゼンタ（Ｍ）、イエロー（Ｙ）のトナーを収容している。
【００３３】
これらのトナーカートリッジ２１は、プリンタ１本体に対し前面方向に、すなわち図の紙面奥行き方向手前側に挿脱して着脱自在である。トナーカートリッジ２１には図１では断面図のため見えないが、現像器９にトナーを補給するためのトナー排出口が形成されている。
【００３４】
トナー排出口は、トナーカートリッジ２１がプリンタ１本体に装着されたとき、現像器９の後方から上に延びだしているトナー補給路に連通し、このトナー補給路を介して現像器９にトナーを補給する。尚、図１では断面図のため見えないが、トナー補給路は転写ベルトユニット３の後方に回り込んで配置されている。
【００３５】
このトナー供給部４の左方には、ベルトクリーナ２６の左方から上方にかけて電装部２９が配設されている。電装部２９には、複数の電子部品からなる制御装置が搭載された回路基盤が装着されている。
【００３６】
給紙部５は、１個の給紙カセット３１を備えている。給紙カセット３１の給紙口（図の右方）近傍には、用紙取出ローラ３２、給送ローラ３３、捌きローラ３４、待機搬送ローラ対３５が配置されている。
【００３７】
待機搬送ローラ対３５の用紙搬送方向（図の鉛直上方向）には、前述した二次転写部が形成されている。この二次転写部の下流（図では上方）側にはベルト式熱定着ユニット６が配置されている。
【００３８】
ベルト式熱定着ユニット６の更に下流側には、定着後の用紙をベルト式熱定着ユニット６から搬出する搬出ローラ対３６、及びその搬出される用紙を装置上面に形成されている排紙トレー３７に排紙する排紙ローラ対３８が配設されている。
【００３９】
両面印刷用搬送ユニット７は、外面（図の右方外側面）がプリンタ１の内部を側面から外部に開放又は遮蔽する開閉部材を兼ねている。
【００４０】
この両面印刷用搬送ユニット７は、排紙ローラ対３８の直前から図の右横方向に分岐する返送開始路３９ａ、それから下方に曲がる返送中間路３９ｂ、更に左横方向に曲がって最終的に返送用紙を反転させる返送終端路３９ｃを有する返送路３９を備えている。
【００４１】
また、返送路３９の途中には、５組の返送ローラ対４１（４１ａ、４１ｂ、４１ｃ、４１ｄ、４１ｅ）が配置されている。上記返送終端路３９ｃの出口は、給紙部５の給紙カセット３１に対応する待機搬送ローラ対３５への搬送路に合流している。
【００４２】
図２は、上記のプリンタ１の外観斜視図である。尚、図２には図１と同一の構成部分には図１と同一の番号を付与して示している。図２に示すように、プリンタ１は、前方に前扉４２を備え、前扉４２の下方つまり装置本体１の前面底部には、紙カセット３１の前面が外部に露出している。
【００４３】
紙カセット３１の前面には、握り型の取っ手４３が設けられている。この取っ手４３の握り手の上下に形成されている空間部の上空間部４４の奥に指を差し込んで、上記の前扉４２を手前に引くことによって前扉４２を開くことができる。
【００４４】
また、プリンタ１の右側面には開閉部材を兼ねる図１に示した両面印刷用搬送ユニット７の外面部が配置されている。この外面部には上方に取っ手４５が設けられている。そして、プリンタ１の上面には中央部に前述した排紙トレー３７が形成され、手前に操作パネル部４６が形成されている。
【００４５】
図３は、図１及び図２に示した給紙カセット３１がプリンタ１の装着部に装着された状態を、装着部の案内レールの断面図と共に示す側面図である。なお、図中一点鎖線Ｖは図２に示した前扉４２の位置を示している。図３に示すように、給紙カセット３１は、用紙収納部４７と、この用紙収納部４７から後方に連設された延長部４８とを備えている。
【００４６】
用紙収納部４７と延長部４８の側面には、用紙収納部４７の先端部から延長部４８の、後端部まで連続して、装着係合部４９が設けられている。装着係合部４９は、細長の板状部材５１と、この板状部材５１の上部を横直角に折り曲げた形状のレール状張出し部５２とで構成されている。なお、板状部材５１は後方では延長部４８と一体化されている。
【００４７】
そして、この装着係合部４９と係合するプリンタ１本体の装着部５３は、図の断面よりも手前に在るプリンタ１本体フレームに固設された、上下２本のガイドレール、すなわち上ガイドレール５４及び下ガイドレール５５とで構成されている。
【００４８】
上ガイドレール５４には、前方（図の左方）において、下に突き出る段差部によるストッパ５６、５７が前後した位置で、やや上下にずれて形成されている。この上ガイドレール５４の後方（図の右方）は、給紙カセット３１のやや後方まで延び出して配置されている。
【００４９】
他方、下ガイドレール５５は、前方が下に大きく屈曲している。この屈曲部の空間には、プリンタ１本体フレームに軸支された本体側コロ５８が配設されている。本体側コロ５８は常時給紙カセット３１の板状部材５１の下側面に当接して、給紙カセット３１を支えている。
【００５０】
また、この下ガイドレール５５は水平な状態で後方に延在し、上ガイドレール５４の後端よりもやや後方に延び出した状態で形成されている。この下ガイドレール５５の後端部上面に、延長部４８の板状部材５１に軸支されたカセット側の第１のコロ５９が当接している。
【００５１】
これにより、給紙カセット３１は、装着部５３に装着されているときは、前方部分を板状部材５１を介して本体側コロ５８により支持され、後方部分を第１のコロ５９を介して下ガイドレール５５により支持されている。
【００５２】
この装着部５３への装着状態で、給紙カセット３１の装着係合部４９は、プリンタ１本体の装着部５３とは、板状部材５１によってのみ係合しており、レール状張出し部５２は単に上ガイドレール５４と下ガイドレール５５との間に介在しているのみで係合はしていない。
【００５３】
レール状張出し部５２の後端部は、延長部４８の後端部まで延在しており、そのレール状張出し部５２の後端部に、上方に突き出る段差部６１を形成され、段差部６１より後方に延びる水平部６２に、第２のコロ６３を軸支している。
【００５４】
第２のコロ６３は、給紙カセット３１が装着部５３に装着されているときは遊び状態であり、給紙カセット３１が装着部５３から引き抜かれるとき、上ガイドレール５４の下面に当接して、装着部５３に係合する。
【００５５】
図４は、図２及び図３に示した給紙カセット３１が、プリンタ１の装着部５３から途中まで引き出されたときの状態を示す外観斜視図である。なお、図４には、図２又は図３に示した構成と同一の構成部分には、図２又は図３と同一の番号を付与して示している。
【００５６】
また、図４に示す装着係合部４９と、この装着係合部４９が係合する図４では陰になって見えないが図３に示した装着部５３は、図４の反対側の側部にも中央面に対称に形成されていることは言うまでもない。
【００５７】
図５(a)は図４に示した給紙カセット３１の状態をプリンタ１の装着部５３の案内レールの断面図と共に示す側面図であり、図５(b)は、その後方部分の拡大図である。なお、図５(a),(b)は給紙カセット３１を用紙収納部４７のほぼ中央部まで引き出した状態を示している。また、図５(a)中の一点鎖線Ｖは上述のように、図２に示した前扉４２の位置を示している。
【００５８】
図５(a),(b)に示すように給紙カセット３１が装着部５３から途中まで引き出された状態では、給紙カセット３１は板状部材５１と本体側コロ５８との係合及び第１のコロ５９と下ガイドレール５５との係合により水平状態で装着部５３に支持されている。
【００５９】
この状態では、給紙カセット３１側の第１のコロ６３は、図５(a),(b)に示すように、装着部５３の上ガイドレール５４と下ガイドレール５５の間に入り込んでいるが、図５(b)に示すように未だ上ガイドレール５４に当接しておらず遊びの状態が続いている。
【００６０】
ここで、装着部５３の上ガイドレール５４と下ガイドレール５５との間には、図５(b)に示すように、後端部側の間隔ｂと、中央部から前端に至る側の間隔ｃとの間にｂ＞ｃの関係がある。つまり水平な下ガイドレール５５に対して上ガイドレール５４は前方下がりに形成されている。
【００６１】
したがって、下ガイドレール５５と平行するように設定されている給紙カセット３１のレール状張出し部５２と、上ガイドレール５４との間隔は、装着部５３の前方にいくほど狭まっている。
【００６２】
つまり、図５(b)に示す後方部におけるレール状張出し部５２と上ガイドレール５４との間隔ｄよりも、前方部におけるレール状張出し部５２と上ガイドレール５４との間隔ｅが徐々に狭くなっている。つまり、第２のコロ６３に対する上ガイドレール５４の高さが徐々に低くなっている。
【００６３】
更に換言すれば、レール状張出し部５２の後端に配置されている第２のコロ６３が給紙カセット３１本体と共に装着部５３の前方へ、矢印ｇで示すように引き出されていくと、第２のコロ６３と上ガイドレール５４との間隔ｆは徐々に狭まり、やがて第２のコロ６３が上ガイドレール５４の下面に当接する。
【００６４】
図６(a)は、補充用の用紙が内部に収納されやいように、給紙カセット３１の用紙収納部４７が装着部５３の外部に完全に引き出された状態を装着部の案内レールの断面図と共に示す図（ここでも、一点鎖線Ｖは前扉４２の位置を示す）であり、図６(b)はその装着部５３の装着口近傍の拡大図である。
【００６５】
ここで、第２のコロ６３に対する上ガイドレール５４の下面の高さは、図５(b)に示したように、装着部５３の装着口の方向にいくほど徐々に低くなっている。
【００６６】
この低くなる変化は、給紙カセット３１を装着部５３から引き出したとき、給紙カセット３１の前方がその重みによって、本体側コロ５８を支点にして矢印ｈで示すように反時計回り方向に回動しようとするタイミングで、第２のコロ６３が上ガイドレール５４の下面に当接するように変化して、そのときの高さがそのまま装着口近傍のストッパ５７の位置まで維持される。
【００６７】
これにより、給紙カセット３１は、下ガイドレール５５の水平延長面６４と平行な状態を維持しながら引き出される。したがって、給紙カセット３１の先端が下方に傾いて、机や床の面に擦れることがなく、先端に掛けた指先を傷つけることもない。
【００６８】
なお、図６(a),(b)に示すように、給紙カセット３１の用紙収納部４７が装着部５３から引き出された時点で、給紙カセット３１後端の段差部６１が装着部５３の上ガイドレール５４の最初のストッパ５７に当接して、それ以上の給紙カセット３１の引き出しが禁止される。
【００６９】
ただし、給紙カセット３１の延長部４８の後方部下面には、板状部材５１と共に後上がりの傾斜面６５が形成されていて、板状部材５１の水平な下面から上記の傾斜面６５に変わる境界６６より後方には、末広がり状の間隙６７が形成されている。
【００７０】
給紙カセット３１の前方を持ち上げると、給紙カセット３１は境界６６を支点にして、傾斜面６５が下ガイドレール５５に当接するまで矢印ｉに示す時計回り方向に回動し、段差部６１とストッパ５７との当接が解除される。これにより給紙カセット３１を装着部５３から引き抜くことができる。
【００７１】
なお、上ガイドレール５４のストッパ５７より前方には、前上がりの傾斜面６７と更にその前方に他のストッパ５６が形成されているが、これは、プリンタ１の前方に設置面がない場合に、段差部６１とストッパ５７との当接が解除された後、なんらかの理由で給紙カセット３１の前端が自由化され大きく下に傾いたとき、給紙カセット３１が装着部５３から脱落するのを防止する機能をもつものである。
【００７２】
本発明のいくつかの実施形態を説明したが、本発明は特許請求の範囲に記載された発明とその均等の範囲に含まれる。以下に、本願出願の当初の特許請求の範囲に記載された発明を付記する。
[付記１]
【００７３】
装置本体の装着部に着脱自在な給紙カセットを備える給紙装置であって、
前記給紙カセットは、
用紙収納部と、
該用紙収納部から後方に連設された延長部と、
前記給紙カセットの両側面において前記用紙収納部の前端から前記延長部に亘って水平方向に形成された装着係合部と、
前記延長部の前後の中間の位置で前記装着係合部の下面に配置された第１のコロと、
前記第１のコロと前記延長部の後端との中間の位置で前記装着係合部の上面に配置された第２のコロと、
を備え、
前記装着部は、
前記装置本体のフレームに固設され、前記装着部に装着される前記給紙カセットの前記装着係合部の下面に沿って延在する位置に配置され、前記第１のコロを介して前記給紙カセットを支持する下ガイドレールと、
該下ガイドレールの前部に配置され、前記装着部に装着される前記給紙カセットの前記装着係合部の下面を介して前記給紙カセットを支持する本体側コロと、
前記下ガイドレールに対向する位置に配置され、前記装着部に装着される前記給紙カセットの前記装着係合部の上面との間に前下がりに狭まり且つ前記装着部の装着口まで連続する最も狭い間隙において下面を前記装着係合部の前記第２のコロに接触させて前記給紙カセットの後端部の上方への移動を禁止する上ガイドレールと、
を備える、
ことを特徴とする給紙カセットの傾き給紙装置。
[付記２]
【００７４】
前記給紙カセットと前記装着部は、前記給紙カセットを前記装着部から引き出したとき前記給紙カセットの前端が下方に傾くことを防止すべく構成されている
ことを特徴とする付記１記載の給紙装置。
【産業上の利用可能性】
【００７５】
本発明は、給紙カセットを装着部から引き出したとき給紙カセットの前端が下方に傾くことを防止する給紙カセットの傾き防止機構に利用することができる。
【符号の説明】
【００７６】
１  フルカラー画像形成装置（プリンタ）
２  画像形成部
３  転写ベルトユニット
４  トナー供給部
５  給紙部
６  ベルト式定着ユニット
７  両面印刷用搬送ユニット
８  転写ベルト
８ａ  下部走行面
８ｂ  裏面
９（９ｙ、９ｍ、９ｃ、９ｋ）  現像装置
１０  感光体ドラム
１１  クリーナ
１２  帯電ローラ
１３  光書込ヘッド
１４  現像器
１５  現像ローラ
１６  筐体
１７  隔壁
１５  現像ローラ
１８  第１の攪拌搬送スクリュー
１９  第２の攪拌搬送スクリュー
２１  トナーカートリッジ
２２  駆動ローラ
２３  従動ローラ
２４  二次転写ローラ
２５  一次転写ローラ
２６  ベルトクリーナ
２７  廃トナー回収容器
２９  電装部
３１（３１ａ、３１ｂ）  給紙カセット
３２  用紙取出ローラ
３３  給送ローラ
３４  捌きローラ
３５  待機搬送ローラ対
３６  搬出ローラ対
３７  排紙トレー
３８  排紙ローラ対
３９  返送路
３９ａ  返送開始路
３９ｂ  返送中間路
３９ｃ  返送終端路
４１（４１ａ、４１ｂ、４１ｃ、４１ｄ、４１ｅ）  返送ローラ対
４２  前扉
４３  取っ手
４４  上空間部
４５  取っ手
４６  操作パネル部
４７  用紙収納部
４８  延長部
４９  装着係合部
５１  板状部材
５２  レール状張出し部
５３  装着部
５４  上ガイドレール
５５  下ガイドレール
５６，５７  ストッパ
５８  本体側コロ
５９  第１のコロ
６１  段差部
６２  水平部
６３  第２のコロ
６４  水平面
６５  傾斜面
６６  境界
６７  末広がり状の間隙
【図１】
2014144821.tif 000003
【図２】
2014144821.tif 000004
【図３】
2014144821.tif 000005
【図４】
2014144821.tif 000006
【図５】
2014144821.tif 000007
【図６】
2014144821.tif 000008